(57)【要約】【課題】本発明は、既設の地覆コンクリートを取り壊さずに防護柵の取替え作業を行うことができる既設の橋梁用防護柵の取替え工法を提供することを目的とするものである。【解決手段】本発明は、前記地覆コンクリート２より露出する支柱３を切断して既設の橋梁用防護柵１を取り外す工程と、前記地覆コンクリート２内に残置する残置穴６をモルタル１２により充填する工程と、前記残置穴６の周囲にアンカーボルト設置穴７を穿孔し、アンカーボルト１０を硬化材によって挿入固着する工程と、アンカーボルト１０に新設の支柱３Ａを締結固定して橋梁用防護柵を取り付ける工程を備える。【選択図】図２
2008063931.tif 000002
【特許請求の範囲】
【請求項１】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記残置穴の周囲にアンカーボルト設置穴を穿孔する工程と、
前記アンカーボルト設置穴内にアンカーボルトを硬化材によって挿入固着する工程と、
前記地覆コンクリート上に突設するアンカーボルトに挿通可能なアンカーボルト挿通用長穴を有する新設の支柱を締結固定して橋梁用防護柵を取り付ける工程を備える
ことを特徴とする既設の橋梁用防護柵の取替え工法。
【請求項２】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記残置穴の両側にアンカーボルト設置穴を穿孔する工程と、
前記アンカーボルト設置穴内にアンカーボルトを硬化材によって挿入固着する工程と、
前記アンカーボルトに挿通可能なアンカーボルト挿通用長穴を有する新設の支柱を、前記地覆コンクリート上に突設するアンカーボルトに挿通されるとともに、前記地覆コンクリートの橋梁外側へ張り出した状態で固定される支柱接合プレート上に締結固定して橋梁用防護柵を取り付ける工程を備える
ことを特徴とする既設の橋梁用防護柵の取替え工法。
【請求項３】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記残置穴の両側にアンカーボルト設置穴を穿孔する工程と、
前記地覆コンクリートの橋梁外側壁面に対してアンカーボルト設置穴を穿孔する工程と、
前記アンカーボルト設置穴内にアンカーボルトを硬化材によって挿入固着する工程と、
前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える
ことを特徴とする既設の橋梁用防護柵の取替え工法。
【請求項４】
前記充填材がモルタルである
ことを特徴とする請求項１、請求項２または請求項３記載の既設の橋梁用防護柵の取替え工法。
【請求項５】
前記アンカーボルト挿通用長穴は、橋梁の長さ方向とし、かつ地覆コンクリート内の鉄筋にアンカーボルトが当接した際に、該アンカーボルトの位置をずらすことができる長さとする
ことを特徴とする請求項１、請求項２請求項３または請求項４記載の既設の橋梁用防護柵の取替え工法。
【発明の詳細な説明】
【技術分野】
【０００１】
本発明は、既設の橋梁用防護柵の取替え工法に関する。詳しくは既設橋における防護柵を取り替える際に、既設の橋梁用防護柵に根元を残置した状態で新たな防護柵を地覆コンクリート上に立て替える工法に係るものである。
【背景技術】
【０００２】
橋梁用防護柵は、図１１に示すように、車道の路肩における地覆コンクリート１０１内に抜け防止板１０２が設けられた防護柵支柱１０３が埋設される構成や図１２に示すように車道に沿った地覆コンクリート１０１にアンカーボルト１０４により固定されるベース１０５と、このベース１０５上に防護柵支柱１０３が締結固定される構成のものがある（特許文献１参照。）。
【０００３】
【特許文献１】特開２００１−２３４５１５号公報
【発明の開示】
【発明が解決しようとする課題】
【０００４】
しかしながら橋梁用防護柵は風雨に晒されることによる老朽化や事故などによる破損によって取り替える必要が生じてくる。この取り替え時期に相当する防護柵としては前記図１０に示すように支柱が地覆コンクリート内に埋め込まれた構成のものが多く、その取り替え工事は、地覆コンクリートを掘削機などによって取り崩して、旧の防護柵を取り外し、その後に新たに地覆コンクリートを施工して防護柵を取り付けているのが現状である。
【０００５】
この防護柵の取替え作業は、地覆コンクリートを取り壊し、新たに地覆コンクリートの型枠を組立てて、前記図１２に示すようなアンカーボルトや図１１に示すように支柱を型枠内に配置してコンクリートを打設し、コンクリートが固まった後に型枠を外して防護柵を取り付ける作業工程を行わなければならず、その工事期間中には片側通行などによる長期の交通規制を行わなければならない問題が生ずる。
【０００６】
また、防護柵の取替えのために地覆コンクリートを取り壊し、新たに地覆コンクリートを施工するのは工事費の負担がかかるとともに、老朽化した防護柵の取替えが思うように進まないなどの問題がある。
【０００７】
本発明は、以上の点に鑑みて創案されたものであって、既設の地覆コンクリートを取り壊さずに防護柵の取替え作業を行うことができる既設の橋梁用防護柵の取替え工法を提供することを目的とするものである。
【課題を解決するための手段】
【０００８】
上記の目的を達成するために、本発明に係る既設の橋梁用防護柵の取替え工法は、地覆コンクリートに橋梁用防護柵の支柱の下端が埋設された状態で設置される既設の橋梁用防護柵の取替え工法において、前記地覆コンクリートより露出する支柱の地覆コンクリートとの境界線上を切断して既設の橋梁用防護柵を取り外す工程と、前記地覆コンクリート内に残置する支柱による残置穴を充填材によって埋設する工程と、前記残置穴の周囲にアンカーボルト設置穴を穿孔する工程と、前記アンカーボルト設置穴内にアンカーボルトを硬化材によって挿入固着する工程と、前記地覆コンクリート上に突設するアンカーボルトに挿通可能なアンカーボルト挿通用長穴を有する新設の支柱を締結固定して橋梁用防護柵を取り付ける工程を備える。
【０００９】
ここで、既設の防護柵を解体して支柱を切断して錆び止め並びにプライマー処理を行った後に地覆コンクリート内に残置した支柱の根元内にモルタルなどの充填材を注入することにより既設の地覆コンクリートを取り壊すことなく、新設の橋梁用防護柵の取替えを行うことができる。
【００１０】
また、上記の目的を達成するために、本発明に係る既設の橋梁用防護柵の取替え工法は、地覆コンクリートに橋梁用防護柵の支柱の下端が埋設された状態で設置される既設の橋梁用防護柵の取替え工法において、前記地覆コンクリートより露出する支柱の地覆コンクリートとの境界線上を切断して既設の橋梁用防護柵を取り外す工程と、前記地覆コンクリート内に残置する支柱による残置穴を充填材によって埋設する工程と、前記残置穴の両側にアンカーボルト設置穴を穿孔する工程と、前記アンカーボルト設置穴内にアンカーボルトを硬化材によって挿入固着する工程と、前記アンカーボルトに挿通可能なアンカーボルト挿通用長穴を有する新設の支柱を、前記地覆コンクリート上に突設するアンカーボルトに挿通されるとともに、前記地覆コンクリートの橋梁外側へ張り出した状態で固定される支柱接合プレート上に締結固定して橋梁用防護柵を取り付ける工程を備える。
【００１１】
ここで、既設の地覆コンクリート幅が狭い場合には、地覆コンクリート上に橋梁の外側へ張り出すような支柱接合プレートを取り付けることにより、新設の橋梁用防護柵の取替え施工が可能となる。
【００１２】
また、上記の目的を達成するために、本発明に係る既設の橋梁用防護柵の取替え工法は、地覆コンクリートに橋梁用防護柵の支柱の下端が埋設された状態で設置される既設の橋梁用防護柵の取替え工法において、前記地覆コンクリートより露出する支柱の地覆コンクリートとの境界線上を切断して既設の橋梁用防護柵を取り外す工程と、前記地覆コンクリート内に残置する支柱による残置穴を充填材によって埋設する工程と、前記残置穴の両側にアンカーボルト設置穴を穿孔する工程と、前記地覆コンクリートの橋梁外側壁面に対してアンカーボルト設置穴を穿孔する工程と、前記アンカーボルト設置穴内にアンカーボルトを硬化材によって挿入固着する工程と、前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える。
【００１３】
ここで、該地覆コンクリート上面に防護柵を設置できない場合には、地覆コンクリートの橋梁外側の壁面に、支柱接合プレートを取り付けることにより、新設の橋梁用防護柵の取替え施工が可能となる。
【発明の効果】
【００１４】
本発明の既設の橋梁用防護柵の取替え工法は、既設の地覆コンクリートを取り壊さずに橋梁用防護柵の取替えを可能とするために、工期が短縮され、かつ新設の防護柵のみの資材となることから大幅なコスト低減が可能となる。
【００１５】
また、既設の橋梁用防護柵の支柱跡を新設の防護柵によって隠すことにより美観を損なうことなく、かつ幅の狭い地覆コンクリートでは、支柱接合プレートを地覆コンクリートより道路外側へ張り出すように取り付けることで新設の橋梁用防護柵の取替え施工が可能となる。
【発明を実施するための最良の形態】
【００１６】
以下、本発明の実施の形態を図面を参酌しながら説明し、本発明の理解に供する。
実施例１
図１は、本発明を適用した既設の橋梁用防護柵の取替え工法における既設の防護柵の取り付け状態を示す説明図である。
【００１７】
既設の防護柵１は、道路の路肩に設けられる地覆コンクリート２上に立設された支柱３間にボルト・ナットなどの締結部材によって取り付けられる。
ここで、前記支柱３は平板状の抜け防止板４が基部に一体的に取り付けられた状態で前記地覆コンクリート２内に埋設されている。
【００１８】
そこで図２（イ）（ロ）（ハ）にそれぞれ示すように、支柱３間に渡設される各種レール５を取り外して支柱３のみとする。次に、前記地覆コンクリート２より露出する支柱３の地覆コンクリート２との境界線上をガスバーナーによって溶断する。この場合には、ガスバーナーによって溶断した後に残置される支柱３の上端が地覆コンクリート２より露出しないように更に切り下げるなどの作業を行う。
【００１９】
したがって、地覆コンクリート２上には既設の防護柵に支柱による残置穴６が一定間隔ごとに開口されることになる。そこで前記残置穴６上に新設の防護柵を取り付けるために、図２（ハ）で示すように、前記残置穴６の周囲に４個のアンカーボルト設置穴７をコンクリート穿孔ドリルによって穿孔する。
【００２０】
ここで、前記アンカーボルト設置穴７は図３に示すように、地覆コンクリート２内に埋設された抜け防止板４に当接しない位置、すなわち抜け防止板４の周囲に前記アンカーボルト設置穴７を設ける構成とする。
【００２１】
そして図４（イ）（ロ）（ハ）にそれぞれ示すように、前記アンカーボルト設置穴７内の清掃後、このアンカーボルト設置穴７内に攪拌により硬化するカプセル内に収納された樹脂製硬化剤９を挿入し、アンカーボルト１０を電動ハンマードリル１１等に装着し回転・打撃させ、硬化剤９を攪拌・混合しながら前記アンカーボルト設置穴７底面に到達するまで埋め込むものである。
【００２２】
さらに、図５に示すように、前記残置穴６内をプライマー塗布並びに錆び止めを行い、その残置穴６内をモルタル１２によって埋設して地覆コンクリート２の上面と同一面とする。このようにして新設の防護柵を取り付けるための前工程を行うものである。
【００２３】
次に図６に示すように、新設の支柱３Ａは断面Ｈ型のダクタイル鋳鉄あるいは、鋼製、アルミニウム製、ステンレス製などにより作成され、その下端両側にはプレート板１３が延設される。このプレート板１３は通常の場合より長く形成される。
【００２４】
更に前記プレート板１３には、前記アンカーボルト１０の配置状態に対応したアンカーボルト挿通用長穴１４が４個貫設されている。そこで前記地覆コンクリート２に埋め込み設置したアンカーボルト１０に支柱３Ａのプレート板１３のアンカーボルト挿通用長穴１４を挿通する。この挿通用長穴１４は、コンクリート穿孔ドリルがコンクリート内の鉄筋に当った場合に鉄筋を切断又は損傷させないために、再度その位置を左右側にずらすことができるように地覆コンクリート２の長手方向に沿って長穴形状とされ、かつこの長穴の寸法をアンカーボルトの口径の３倍以上の長さにすることが望ましい。
【００２５】
このようにして図７に示すように、残置穴６上に新設の支柱３Ａを立設し、この支柱３Ａ間に上部レール５Ａおよび下部レール５Ｂなどを渡設することにより防護柵１Ａへの取替えが完了する。
【００２６】
実施例２
次に、地覆コンクリート幅が狭い場合の設置例を図８（イ）（ロ）（ハ）にそれぞれ示す。
前記図２（イ）（ロ）（ハ）で示したように、既設の防護柵１の支柱３の根元部分を溶断して取り外し、図５に示すように残置穴６内にモルタル１２によって埋設して地覆コンクリート２の上面と同一面とする。
【００２７】
そこで、図８（ハ）で示すように、地覆コンクリート２の残置穴６の両側位置に設けたアンカーボルト設置穴７に２個のアンカーボルト１０を、前記図４（イ）（ロ）（ハ）で示す施工手順によって配置する。
【００２８】
次に、図８（イ）で示すように、前記アンカーボルト１０に対して前記地覆コンクリート２の後方へ張り出した状態で支柱接合プレート１５を設置するものであり、この支柱接合プレート１５の底面には、前記地覆コンクリート２の壁面に当接される支持板１６が直角状に突設され、さらに該支持板１６と支柱接合プレート１５の後端に渡って補強リブ１７が設けられるものである。そして前記支柱接合プレート１５前部側にはアンカーボルト１０が挿通可能としたアンカーボルト挿通用長穴１４Ａが貫設され、前記支柱接合プレート１５後部側には、支柱との接合を行うための締結用長穴１８が貫設される。
【００２９】
ここで、支柱接合プレート１５を前記アンカーボルト１０に支柱接合プレート１５前部側に貫設されるアンカーボルト挿通用長穴１４Ａを挿通した状態で地覆コンクリート２上に設置する。これにより前記支柱接合プレート１５は、地覆コンクリート２後方に張り出した状態で設置されることになり、この支柱接合プレート１５上に支柱３Ａのプレート板１３を積重し、ボルト・ナットなどの締結部材１９によって接合することにより防護柵１Ａの取替えが可能となる。
【００３０】
実施例３
次に、地覆コンクリート幅が狭く、該地覆コンクリート上面に防護柵を設置できない場合の設置例を図９（イ）（ロ）にそれぞれ示す。
この場合には、地覆コンクリート上に設置された既設の防護柵は、図２において前述した手順によって取り外し、図５に示すように残置穴６内にモルタル１２によって埋設して地覆コンクリート２の上面と同一面とする。
【００３１】
そして図９（イ）で示すように、地覆コンクリート２の橋梁の外側の壁面に対して図４（イ）（ロ）（ハ）において詳述したように、前記壁面に対してアンカーボルト設置穴７を穿孔し、４個のアンカーボルト１０を埋め込むものである。
【００３２】
ここで、前記アンカーボルト１０に対して締結固定される支柱接合プレート１５Ａを地覆コンクリート２の橋梁の外側の壁面に取り付けるものであり、この支柱接合プレート１５Ａは９０度に折り曲げ形成される壁面接合板２０との間に補強リブ１７が設けられ、この壁面接合板２０にはアンカーボルト挿通用長穴１４Ａが貫設されるとともに、支柱接合プレート１５Ａには支柱との接合を行うための締結用長穴１８が貫設される。
【００３３】
したがって、前記支柱接合プレート１５Ａを地覆コンクリート２の橋梁の外側の壁面に取り付けられるアンカーボルト１０とボルト・ナットなどの締結部材１９によって取付けることによって、支柱接合プレート１５Ａが地覆コンクリート２の外側へ張り出した状態となる。
【００３４】
そして前記支柱接合プレート１５Ａ上に、支柱３Ａのプレート板１３を積重し、ボルト・ナットなどの締結部材１９によって接合することにより防護柵１Ａの取替えが可能となる。
【００３５】
なお、本実施例ではアンカーボルトの取付けを４個、あるいは２個とするものであるが、必ずしも４個、あるいは２個とする必要性はなく、既設の地覆コンクリート内の鉄筋の位置やコンクリートの強度の状況に応じて本数を決定することが望ましい。
【００３６】
また、本実施例では残置穴内にモルタルを充填するものであるが、必ずしもモルタルを充填する必要性はなく、合成樹脂材など作業性および強耐性に優れた充填材であればいかなる素材であっても構わない。
【００３７】
実施例４
次に、防護柵がアルミニウム合金などの軽金属製の場合の設置例を図１０（イ）（ロ）（ハ）でそれぞれ示す。
【００３８】
ここで、防護柵１Ａがアルミニウム合金などの軽金属製の場合にはプレート板１３と、このプレート板１３に突設される支柱補助部２１はアルミ合金の溶接強度に問題があるために鋼製とされることが多い。この支柱補助部２１にアルミニウム合金製の防護柵１Ａの支柱３Ａが嵌め入れられて、結合用ボルト２２によって強固に連結される構成とされる。
【００３９】
まず、図１０（イ）（ロ）で示すように、地覆コンクリート２に埋設されるアンカーボルト１０に対して前記地覆コンクリート２の後方へ張り出した状態で支柱接合プレート１５を設置するものであり、この支柱接合プレート１５の底面には、前記地覆コンクリート２の壁面に当接される支持板１６が直角状に突設され、さらに該支持板１６と支柱接合プレート１５の後端に渡って補強リブ１７が設けられるものである。そして前記支柱接合プレート１５前部側にはアンカーボルト１０が挿通可能としたアンカーボルト挿通用長穴１４Ａが貫設される。
【００４０】
そこで図１０（イ）で示すように、支柱接合プレート１５前部側に貫設されるアンカーボルト挿通用長穴１４Ａを前記アンカーボルト１０に挿通した状態で地覆コンクリート２上に設置する。これにより前記支柱接合プレート１５は、地覆コンクリート２後方に張り出した状態で設置されることになる。
【００４１】
この支柱接合プレート１５上に、支柱３Ａのプレート板１３を積重し、ボルト・ナットなどの締結部材１９によって接合する。そして該プレート板１３に突設される支柱補助部２１にアルミニウム合金製の防護柵１Ａの支柱３Ａが嵌め入れられて、結合用ボルト２２によって連結されることにより防護柵１Ａの取替えが可能となる。
【００４２】
なお、前記実施例４における防護柵１Ａは、鋼製の支柱補助部２１にアルミニウム合金製の支柱３Ａとの組合せについて詳述したが、必ずしもアルミニウム合金製の支柱３Ａとの組合せである必要性はなく、例えば鋼製の支柱３Ａ、あるいは他の金属製による支柱３Ａとの組合せであっても構わない。
【００４３】
以上の構成よりなる本発明の既設の橋梁用防護柵の取替え工法では、既設の防護柵を解体して支柱を切断して錆び止め、プライマー処理を行った後に地覆コンクリート内に残置した支柱の根元内にモルタルを注入することにより既設の地覆コンクリートを取り壊すことなく使用することができる。
【００４４】
また、前記地覆コンクリート内に残置した支柱の周囲に地覆コンクリート内の鉄筋を避けるようにアンカーボルトを埋め込むことにより前記地覆コンクリート上に通常の防護柵と何ら変わらない防護柵の取替え施工が可能となる。
【００４５】
また、実施例２において詳述したように既設の地覆コンクリート幅が狭い場合には、地覆コンクリート上に橋梁の外側へ張り出すような支柱接合プレートを取り付けることにより、防護柵の取替え施工が可能となる。
【００４６】
また、実施例３において詳述したように地覆コンクリート幅が狭く、該地覆コンクリート上面に防護柵を設置できない場合には、地覆コンクリートの橋梁外側の壁面に、地覆コンクリート内の鉄筋を避けるようにアンカーボルトを埋め込み、該アンカーボルトによる締結固定によって地覆コンクリートの背面側へ張り出すように支柱接合プレートを取り付けることにより、防護柵の取替え施工が可能となる。
【００４７】
また、実施例４において詳述したように、防護柵がアルミニウム合金などの軽金属製の場合であっても鋼製よりなるプレート板を、地覆コンクリート２上に設置された支柱接合プレート上に積重した状態で取り付け、プレート板上に突設される支柱補助部にアルミニウム合金製の防護柵の支柱が嵌め入れて結合用ボルトによって結合することによりアルミニウム合金などの軽金属製の防護柵の取替えが容易に行うことが可能となる。
【図面の簡単な説明】
【００４８】
【図１】本発明を適用した既設の橋梁用防護柵の取替え工法における既設の防護柵の取り付け状態を示す説明図である。
【図２】本発明を適用した既設の橋梁用防護柵の取替え工法における既設の防護柵の支柱を切断し、アンカーボルト設置穴を穿孔するまでの説明図である。
【図３】図２におけるアンカーボルト設置穴の穿孔位置を示す平面説明図である。
【図４】本発明を適用した既設の橋梁用防護柵の取替え工法におけるアンカーボルト設置穴にアンカーボルトを埋設する工程を示す説明図である。
【図５】図２における既設の防護柵の支柱を切断した後の残置穴にモルタルを注入した状態を示す説明図である。
【図６】既設の地覆コンクリート上面に新設の防護柵の支柱を取り付ける状態を示す説明図である。
【図７】図６における新設の防護柵の支柱に各レール等を取り付けて取替えが完了した状態を示す説明図である。
【図８】本発明を適用した既設の橋梁用防護柵の取替え工法において、地覆コンクリート幅が狭い場合の設置例を示す説明図である。
【図９】本発明を適用した既設の橋梁用防護柵の取替え工法において、地覆コンクリート幅が狭く、該地覆コンクリート上面に防護柵を設置できない場合の設置例を示す説明図である。
【図１０】本発明を適用した既設の橋梁用防護柵の取替え工法において、防護柵がアルミニウム合金などの軽金属製の場合の設置例を示す説明図である。
【図１１】既設の防護柵の設置例を示す説明図である。
【図１２】従来の橋梁用防護柵の一例を示す説明図である。
【符号の説明】
【００４９】
１、１Ａ      防護柵
２      地覆コンクリート
３、３Ａ      支柱
４      抜け防止板
５      レール
６      残置穴
７      アンカーボルト設置穴
９      硬化剤
１０    アンカーボルト
１１    電動ハンマードリル
１２    モルタル
１３    プレート板
１４、１４Ａ    アンカーボルト挿通用長穴
１５、１５Ａ    支柱接合プレート
１６    支持板
１７    補強リブ
１８    締結用長穴
１９    締結部材
２０    壁面接合板
２１    支柱補助部
２２    結合用ボルト
【図１】
2008063931.tif 000003
【図２】
2008063931.tif 000004
【図３】
2008063931.tif 000005
【図４】
2008063931.tif 000006
【図５】
2008063931.tif 000007
【図６】
2008063931.tif 000008
【図７】
2008063931.tif 000009
【図８】
2008063931.tif 000010
【図９】
2008063931.tif 000011
【図１０】
2008063931.tif 000012
【図１１】
2008063931.tif 000013
【図１２】
2008063931.tif 000014
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記残置穴の周囲にアンカーボルト設置穴を穿孔する工程と、
前記アンカーボルト設置穴内にアンカーボルトを硬化材によって挿入固着する工程と、
前記地覆コンクリート上に突設するアンカーボルトに挿通可能なアンカーボルト挿通用長穴を有する新設の支柱を締結固定して橋梁用防護柵を取り付ける工程を備える
ことを特徴とする既設の橋梁用防護柵の取替え工法。
【請求項２】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記残置穴の両側にアンカーボルト設置穴を穿孔する工程と、
前記アンカーボルト設置穴内にアンカーボルトを硬化材によって挿入固着する工程と、
前記アンカーボルトに挿通可能なアンカーボルト挿通用長穴を有する新設の支柱を、前記地覆コンクリート上に突設するアンカーボルトに挿通されるとともに、前記地覆コンクリートの橋梁外側へ張り出した状態で固定される支柱接合プレート上に締結固定して橋梁用防護柵を取り付ける工程を備える
ことを特徴とする既設の橋梁用防護柵の取替え工法。
【請求項３】
地覆コンクリートに橋梁用防護柵の支柱の下端が埋設された状態で設置される既設の橋梁用防護柵の取替え工法において、
前記地覆コンクリートより露出する支柱の地覆コンクリートとの境界線上を切断して既設の橋梁用防護柵を取り外す工程と、
前記地覆コンクリート内に残置する支柱による残置穴を充填材によって埋設する工程と、
前記地覆コンクリートの橋梁外側壁面に対してアンカーボルト設置穴を穿孔する工程と、
前記アンカーボルト設置穴内にアンカーボルトを硬化材によって挿入固着する工程と、
前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える
ことを特徴とする既設の橋梁用防護柵の取替え工法。
【請求項４】
前記充填材がモルタルである
ことを特徴とする請求項１、請求項２または請求項３記載の既設の橋梁用防護柵の取替え工法。
【請求項５】
前記アンカーボルト挿通用長穴は、橋梁の長さ方向とし、かつ地覆コンクリート内の鉄筋にアンカーボルトが当接した際に、該アンカーボルトの位置をずらすことができる長さとする
ことを特徴とする請求項１、請求項２請求項３または請求項４記載の既設の橋梁用防護柵の取替え工法。
【手続補正２】
【補正対象書類名】明細書
【補正対象項目名】０００４
【補正方法】変更
【補正の内容】
【０００４】
しかしながら橋梁用防護柵は風雨に晒されることによる老朽化や事故などによる破損によって取り替える必要が生じてくる。この取り替え時期に相当する防護柵としては前記図１１に示すように支柱が地覆コンクリート内に埋め込まれた構成のものが多く、その取り替え工事は、地覆コンクリートを掘削機などによって取り崩して、旧の防護柵を取り外し、その後に新たに地覆コンクリートを施工して防護柵を取り付けているのが現状である。
【手続補正３】
【補正対象書類名】明細書
【補正対象項目名】００１２
【補正方法】変更
【補正の内容】
【００１２】
また、上記の目的を達成するために、本発明に係る既設の橋梁用防護柵の取替え工法は、地覆コンクリートに橋梁用防護柵の支柱の下端が埋設された状態で設置される既設の橋梁用防護柵の取替え工法において、前記地覆コンクリートより露出する支柱の地覆コンクリートとの境界線上を切断して既設の橋梁用防護柵を取り外す工程と、前記地覆コンクリート内に残置する支柱による残置穴を充填材によって埋設する工程と、前記地覆コンクリートの橋梁外側壁面に対してアンカーボルト設置穴を穿孔する工程と、前記アンカーボルト設置穴内にアンカーボルトを硬化材によって挿入固着する工程と、前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える。
【手続補正４】
【補正対象書類名】図面
【補正対象項目名】図１０
【補正方法】変更
【補正の内容】
【図１０】
2008063931.tif 000015